(57)【特許請求の範囲】
【請求項１】
蓄電素子と、樹脂製の外装体と、を備える蓄電装置であって、
前記蓄電素子を前記外装体に対して固定する締結具と、
前記蓄電素子と前記外装体との間に設けられる接着体と、
前記蓄電素子と前記蓄電装置の外部端子とを接続するバスバーと、を備え、
前記接着体は、前記締結具と異なる位置、かつ、前記蓄電素子の前記バスバーが配置される側とは反対側で、前記蓄電素子を前記外装体に対して固定する
蓄電装置。
【請求項２】
前記外装体は、前記蓄電素子が収容される本体と、前記外部端子が設けられた蓋体と、を有し、
前記接着体は、前記蓄電素子と前記本体の底壁との間に設けられ、
前記バスバーは、前記蓄電素子と前記蓋体との間に配置される
請求項１に記載の蓄電装置。
【請求項３】
前記締結具及び前記接着体は、前記蓄電素子を前記外装体の同一の壁に対して固定する
請求項１または２に記載の蓄電装置。
【請求項４】
さらに、前記蓄電素子の側方に配置されるエンドプレートを備え、
前記締結具は、前記エンドプレートを前記外装体に固定する
請求項１〜３のいずれか一項に記載の蓄電装置。
【請求項５】
さらに、複数の前記蓄電素子間に配置されるスペーサを備え、
前記接着体は、前記スペーサを前記外装体に固定する
請求項１〜４のいずれか一項に記載の蓄電装置。
【発明の詳細な説明】
【技術分野】
【０００１】
本発明は、蓄電素子と外装体とを備える蓄電装置に関する。
【背景技術】
【０００２】
従来、蓄電素子を備える蓄電装置において、締結具によって蓄電素子を外装体に対して固定する構成が知られている（例えば、特許文献１参照）。この蓄電装置においては、締結具（固定ネジ）によって蓄電素子が外装体に対して固定されており、当該締結具による締結箇所がシール部材によって封止されている。
【先行技術文献】
【特許文献】
【０００３】
【特許文献１】特開２００１−２８３９３８号公報
【発明の概要】
【発明が解決しようとする課題】
【０００４】
しかしながら、上記従来の蓄電装置では、締結具が緩んだ場合等に蓄電素子の固定を維持することが困難となる虞がある。具体的には、上記締結箇所がシール部材によって封止されている蓄電装置であっても、当該シール部材が蓄電素子の固定に寄与しないため、締結具が緩んだ場合には蓄電素子の固定を維持することが困難となる虞がある。さらに、当該シール部材が蓄電素子の固定に寄与する構成であっても、締結具とシール部材とが同じ位置に設けられているため、蓄電素子の固定を維持することが困難となり得る。
【０００５】
本発明は、上記問題を解決するためになされたものであり、外装体に対する蓄電素子の固定を維持することができる蓄電装置を提供することを目的とする。
【課題を解決するための手段】
【０００６】
上記目的を達成するために、本発明の一態様に係る蓄電装置は、蓄電素子と外装体とを備える蓄電装置であって、前記蓄電素子を前記外装体に対して固定する締結具と、前記蓄電素子と前記外装体との間に設けられる接着体とを備え、前記接着体は、前記締結具と異なる位置で前記蓄電素子を前記外装体に対して固定する。
【０００７】
これによれば、締結具及び接着体によって、蓄電素子が外装体に対して互いに異なる位置で固定されるため、外装体に対する蓄電素子の固定を維持することができる。
【０００８】
また、前記締結具及び前記接着体は、前記蓄電素子を前記外装体の同一の壁に対して固定することにしてもよい。
【０００９】
つまり、接着体は、締結具によって蓄電素子が固定される外装体の壁と蓄電素子との間に設けられる。よって、接着体は、締結具によって蓄電素子が外装体に対して固定されることにより、当該壁と蓄電素子との間で密着する。このため、接着体による蓄電素子の固定を一層強固にすることができる。
【００１０】
また、さらに、前記蓄電素子の側方に配置されるエンドプレートを備え、前記締結具は、前記エンドプレートを前記外装体に固定することにしてもよい。
【００１１】
これによれば、締結具は、エンドプレートを外装体に固定することで、蓄電素子を外装体に対して容易に固定することができる。
【００１２】
また、前記外装体は、前記エンドプレートに向かって凹んだ前記締結具の取付部を有することにしてもよい。
【００１３】
これによれば、締結具の取付部が凹んでいることで、締結具が蓄電装置の外方に突出しにくくなる。このため、締結具の損傷等を抑制できるので、蓄電素子を外装体に対して強固に固定することができる。
【００１４】
また、さらに、複数の前記蓄電素子間に配置されるスペーサを備え、前記接着体は、前記スペーサを前記外装体に固定することにしてもよい。
【００１５】
これによれば、接着体は、スペーサを外装体に固定することで、蓄電素子を外装体に対して容易に固定することができる。
【発明の効果】
【００１６】
本発明における蓄電装置によれば、外装体に対する蓄電素子の固定を維持することができる。
【図面の簡単な説明】
【００１７】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電ユニットを分解した場合の各構成要素を示す分解斜視図である。
【図４】実施の形態に係る蓄電ユニットと外装体とが固定される様子を示す斜視図である。
【図５】実施の形態に係る蓄電ユニットが外装体に固定された状態での構成を示す断面図である。
【図６】実施の形態の変形例１に係る蓄電ユニットが外装体に固定された状態での構成を示す断面図である。
【図７】実施の形態の変形例２に係る蓄電ユニットと外装体とが固定される様子を示す斜視図である。
【発明を実施するための形態】
【００１８】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００１９】
（実施の形態）
まず、蓄電装置１の構成について、説明する。
【００２０】
図１は、本発明の実施の形態に係る蓄電装置１の外観を示す斜視図である。また、図２は、本発明の実施の形態に係る蓄電装置１を分解した場合の各構成要素を示す分解斜視図である。
【００２１】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００２２】
蓄電装置１は、外部からの電気を充電し、また外部へ電気を放電することができる装置である。例えば、蓄電装置１は、電力貯蔵用途や電源用途などに使用される電池モジュールである。図１及び図２に示すように、蓄電装置１は、第一外装体１１と第二外装体１２とからなる外装体１０、及び、外装体１０内方に収容される蓄電ユニット２０と保持部材３０とバスバー４１、４２とサーミスタ５０等を備えている。
【００２３】
外装体１０は、蓄電装置１の外装体を構成する矩形状（箱状）の容器（モジュールケース）である。つまり、外装体１０は、蓄電ユニット２０、保持部材３０、バスバー４１、４２及びサーミスタ５０の外方に配置され、この蓄電ユニット２０等を所定の位置に配置し、蓄電ユニット２０等を衝撃などから保護する。また、外装体１０は、例えばポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁性の樹脂材料により構成されている。外装体１０は、これにより、蓄電ユニット２０等が外部の金属部材などに接触することを回避する。
【００２４】
ここで、外装体１０は、外装体１０の蓋体を構成する第一外装体１１と、外装体１０の本体を構成する第二外装体１２とを有している。第一外装体１１は、第二外装体１２の開口を閉塞する扁平な矩形状のカバー部材であり、正極外部端子１３と負極外部端子１４とが設けられている。蓄電装置１は、この正極外部端子１３と負極外部端子１４とを介して、外部からの電気を充電し、また外部へ電気を放電する。また、第二外装体１２は、開口が形成された有底矩形筒状のハウジングであり、蓄電ユニット２０、保持部材３０、バスバー４１、４２及びサーミスタ５０等を収容する。具体的には、第二外装体１２は、外装体１０の側壁１１１ａ〜１１１ｄと、外装体１０の底壁１１１ｅとを有する。
【００２５】
なお、第一外装体１１と第二外装体１２とは、同じ材質の部材で形成されていてもよいし、異なる材質の部材で形成されていてもかまわない。
【００２６】
また、第一外装体１１の内方には、回路基板やリレーなどの電気機器が配置されているが、当該電気機器の図示は省略する。つまり、第一外装体１１は、上下方向（Ｚ軸方向）に２つの部材に分離可能に構成されており、当該２つの部材の間に、当該電気機器が配置されている。これにより、電気機器は、衝撃などから保護されるとともに、外部の金属部材などに接触することが回避される。
【００２７】
蓄電ユニット２０は、複数の蓄電素子１００（本実施の形態では、１２個の蓄電素子１００）と複数のバスバー２００とを有しており、第一外装体１１に設けられた正極外部端子１３と負極外部端子１４とに電気的に接続される。つまり、複数の蓄電素子１００のうちのいずれかの蓄電素子１００の正極端子が、バスバー２００を介して、正極外部端子１３と電気的に接続される。また、複数の蓄電素子１００のうちのいずれかの蓄電素子１００の負極端子が、バスバー２００を介して、負極外部端子１４と電気的に接続される。
【００２８】
また、蓄電ユニット２０は、複数の蓄電素子１００が縦置きになった状態でＸ軸方向に並べられて、第二外装体１２内に配置される。そして、蓄電ユニット２０は、上方から第一外装体１１が被せられて、外装体１０の内方に収容される。なお、蓄電ユニット２０の構成の詳細な説明、及び、蓄電ユニット２０と外装体１０とが固定される構成の詳細な説明については、後述する。
【００２９】
保持部材３０は、バスバー４１、４２及びサーミスタ５０や、その他リレーなどの電装部品、配線類等（図示せず）を保持し、当該バスバー４１、４２等と他の部材との絶縁、及び、当該バスバー４１、４２等の位置規制を行うことができる電装品トレーである。ここで、バスバー４１、４２は、蓄電ユニット２０内のバスバー２００と、第一外装体１１に設けられた正極外部端子１３及び負極外部端子１４とを電気的に接続する導電性の部材である。また、サーミスタ５０は、蓄電素子１００に対して取り付けられる温度センサであり、保持部材３０が蓄電素子１００に取り付けられた後に、保持部材３０に取り付けられることで、蓄電素子１００に対して位置決めされ、かつ、蓄電素子１００に押圧されて配置される。
【００３０】
次に、蓄電ユニット２０の構成について、詳細に説明する。
【００３１】
図３は、本発明の実施の形態に係る蓄電ユニット２０を分解した場合の各構成要素を示す分解斜視図である。
【００３２】
同図に示すように、蓄電ユニット２０は、複数の蓄電素子１００と、複数のバスバー２００と、複数のスペーサ３００（複数のスペーサ３１０及び一対のスペーサ３２０）と、一対の挟持部材４００と、複数の拘束部材５００と、バスバーフレーム６００と、遮熱プレート７００とを備えている。
【００３３】
蓄電素子１００は、電気を充電し、また、電気を放電することのできる二次電池（単電池）であり、より具体的には、リチウムイオン二次電池などの非水電解質二次電池である。蓄電素子１００は、扁平な矩形状を有しており、スペーサ３１０に隣接して配置されている。つまり、複数の蓄電素子１００のそれぞれが、複数のスペーサ３１０のそれぞれと交互に配置され、Ｘ軸方向に並べられている。本実施の形態では、１２個の蓄電素子１００が１１個のスペーサ３１０と交互に隣接して配置されている。なお、蓄電素子１００は、非水電解質二次電池には限定されず、非水電解質二次電池以外の二次電池であってもよいし、キャパシタであってもよい。
【００３４】
また、同図に示すように、蓄電素子１００は、容器１１０、正極端子１２０及び負極端子１３０を備えている。なお、容器１１０内方には、電極体（発電要素）及び集電体（正極集電体及び負極集電体）等が配置され、また、電解液（非水電解質）などの液体が封入されているが、詳細な説明は省略する。
【００３５】
容器１１０は、金属からなる矩形筒状で底を備える容器本体と、当該容器本体の開口を閉塞する金属製の蓋部とで構成されている。また、容器１１０は、電極体等を内部に収容後、蓋部と容器本体とが溶接等されることにより、内部を密封することができるものとなっている。このように、容器１１０は、同図のＺ軸方向プラス側に蓋部、Ｘ軸方向両側の側面に長側面、Ｙ軸方向両側の側面に短側面、Ｚ軸方向マイナス側に底面を有する直方体形状の容器である。なお、容器１１０の材質は、特に限定されないが、例えばステンレス鋼、アルミニウム、アルミニウム合金など溶接可能な金属であるのが好ましい。
【００３６】
正極端子１２０は、正極集電体を介して、電極体の正極に電気的に接続された電極端子であり、負極端子１３０は、負極集電体を介して、電極体の負極に電気的に接続された電極端子であり、いずれも容器１１０の蓋部に取り付けられている。つまり、正極端子１２０及び負極端子１３０は、電極体に蓄えられている電気を蓄電素子１００の外部空間に導出し、また、電極体に電気を蓄えるために蓄電素子１００の内部空間に電気を導入するための金属製の電極端子である。本実施の形態では、蓄電素子１００は、正極端子１２０及び負極端子１３０を上方に向けた状態で配置されている。
【００３７】
バスバー２００は、蓄電ユニット２０内の複数の蓄電素子１００のそれぞれと電気的に接続されるバスバーである。つまり、バスバー２００は、複数の蓄電素子１００が有するそれぞれの電極端子と電気的に接続される導電性の部材であり、当該複数の蓄電素子１００が有するいずれかの電極端子同士を電気的に接続する。具体的には、バスバー２００は、複数の蓄電素子１００が有するそれぞれの電極端子の表面上に配置され、当該電極端子に接続（接合）される。
【００３８】
スペーサ３００は、複数のスペーサ３１０と一対のスペーサ３２０とを有しており、例えばＰＣ、ＰＰ、ＰＥ、ＰＰＳ、ＰＢＴまたはＡＢＳ樹脂等の絶縁性の樹脂により形成されている。なお、スペーサ３１０及び３２０は、絶縁性を有する部材であればどのような材質で形成されていてもよく、また、全てが同じ材質の部材で形成されていてもよいし、いずれかのスペーサが異なる材質の部材で形成されていてもかまわない。
【００３９】
スペーサ３１０は、蓄電素子１００の側方（Ｘ軸方向プラス側またはマイナス側）に配置される、当該蓄電素子１００と他の部材とを絶縁する板状部材である。つまり、スペーサ３１０は、隣り合う２つの蓄電素子１００の間に配置され、当該２つの蓄電素子１００間を絶縁する。本実施の形態では、１２個の蓄電素子１００のそれぞれの蓄電素子１００の間に、１１枚のスペーサ３１０が配置されている。
【００４０】
また、スペーサ３１０は、蓄電素子１００の正面側または背面側の略半分（Ｘ軸方向に２つに分けた場合の略半分）を覆うように、形成されている。つまり、スペーサ３１０の正面側または背面側の両面（Ｘ軸方向の両面）には凹部が形成されており、当該凹部に上記の蓄電素子１００の略半分が挿入される。このような構成により、蓄電素子１００の側方のスペーサ３１０が、蓄電素子１００のほとんどの部分を覆うこととなるので、スペーサ３１０によって、蓄電素子１００と他の導電性部材との間の絶縁性を向上させることができている。なお、スペーサ３１０は、サーミスタ５０が蓄電素子１００に当接できるように、蓄電素子１００のサーミスタ５０が位置する部分は覆わないように形成されている。
【００４１】
スペーサ３２０は、後述する挟持部材４００と外装体１０との間に配置され、挟持部材４００と外装体１０との間を絶縁する板状部材である。また、スペーサ３２０は、外装体１０に外部から衝撃が加えられた場合等に、蓄電ユニット２０を保護する緩衝部材としての機能も有する。つまり、一対のスペーサ３２０が一対の挟持部材４００を両側から挟み込むようにして当該一対の挟持部材４００と外装体１０との間に配置されており、蓄電ユニット２０内の蓄電素子１００等を絶縁し、かつ、外部からの衝撃から保護する。
【００４２】
挟持部材４００及び拘束部材５００は、蓄電素子１００の電極体の積層方向において、蓄電素子１００を外方から圧迫する部材である。つまり、挟持部材４００及び拘束部材５００は、複数の蓄電素子１００を当該積層方向の両側から挟み込むことで、複数の蓄電素子１００に含まれるそれぞれの蓄電素子１００を両側から圧迫する。なお、蓄電素子１００の電極体の積層方向とは、電極体の正極、負極及びセパレータが積層される方向であり、複数の蓄電素子１００の並び方向（Ｘ軸方向）と同じ方向である。つまり、複数の蓄電素子１００は、当該積層方向に配列されている。
【００４３】
具体的には、挟持部材４００は、複数の蓄電素子１００のＸ軸方向両側に配置された平板状部材（エンドプレート）であり、複数の蓄電素子１００及び複数のスペーサ３１０を、当該複数の蓄電素子１００及び複数のスペーサ３１０の並び方向（Ｘ軸方向）の両側から挟み込んで保持する。
【００４４】
拘束部材５００は、両端が挟持部材４００に取り付けられて、複数の蓄電素子１００を拘束する長尺状かつ平板状の部材（拘束バー）である。つまり、拘束部材５００は、当該複数の蓄電素子１００及び複数のスペーサ３１０を跨ぐように配置され、当該複数の蓄電素子１００及び複数のスペーサ３１０に対してこれらの並び方向（Ｘ軸方向）における拘束力を付与する。
【００４５】
本実施の形態では、複数の蓄電素子１００の両側方（Ｙ軸方向両側）に２つの拘束部材５００が配置されており、当該２つの拘束部材５００で当該複数の蓄電素子１００を当該両側方から挟み込んで拘束する。なお、拘束部材５００は、挟持部材４００と同様に、例えばステンレスやアルミニウム等の金属製の部材で形成されているのが好ましいが、金属以外の部材で形成されていてもかまわない。
【００４６】
バスバーフレーム６００は、バスバー２００と他の部材との絶縁、及び、バスバー２００の位置規制を行うことができる部材である。特に、バスバーフレーム６００は、バスバー２００を、蓄電ユニット２０内の複数の蓄電素子１００に対して位置決めする。
【００４７】
遮熱プレート７００は、蓄電素子１００の安全弁の排気の流路の内方に配置される断熱性を有する板状の部材である。具体的には、遮熱プレート７００は、蓄電素子１００の安全弁の上方に位置するように、バスバーフレーム６００の上方に配置される。つまり、遮熱プレート７００は、異常時等に蓄電素子１００の安全弁からガスが排出された場合に、蓄電ユニット２０の上方に配置される回路基板等の電気機器を当該ガスの熱から保護する。
【００４８】
次に、蓄電ユニット２０と外装体１０とが固定される構成について、詳細に説明する。
【００４９】
図４は、本発明の実施の形態に係る蓄電ユニット２０と外装体１０（第二外装体１２）とが固定される様子を示す斜視図である。また、図５は、本発明の実施の形態に係る蓄電ユニット２０が外装体１０（第二外装体１２）に固定された状態での構成を示す断面図である。具体的には、同図は、蓄電ユニット２０が外装体１０に固定された状態において、図４に示す斜視図におけるＶ−Ｖ線で切断した場合の断面図である。
【００５０】
なお、図４では、スペーサ３２０を透過して蓄電ユニット２０の構成を示している。また、図４及び図５では、蓄電装置１を構成する部材のうち第二外装体１２及び蓄電ユニット２０以外の部材については、図示を省略している。
【００５１】
これらの図に示すように、蓄電装置１は、蓄電素子１００を外装体１０に対して固定する締結具２１と、蓄電素子１００と外装体１０との間に設けられた接着体２２とを備える。本実施の形態では、締結具２１及び接着体２２は、蓄電素子１００を外装体１０の同一の壁に対して固定し、具体的には、外装体１０の底壁１１１ｅに対して固定する。以下、締結具２１及び接着体２２に関する事項について、詳細に説明する。
【００５２】
まず、締結具２１に関する事項について説明する。
【００５３】
締結具２１は、蓄電素子１００を外装体１０に対して固定する、例えばボルトである。本実施の形態では、４つの締結具２１が、外装体１０の略矩形状の底壁１１１ｅの４つの角部に設けられ、蓄電素子１００を当該角部に対して固定する。具体的には、締結具２１は、蓄電素子１００の側方に配置されるエンドプレート（ここでは挟持部材４００）を外装体１０（ここでは第二外装体１２）に固定することにより、蓄電素子１００を外装体１０に対して固定する。
【００５４】
なお、締結具２１の個数は４つに限定されず、３つ以下または５つ以上であってもかまわない。また、締結具２１は底壁１１１ｅの４つの角部に設けられていなくてもよく、当該４つの角部のうち１つ以上に設けられていればよい。さらには、締結具２１を設ける位置は、底壁１１１ｅの角部に限らず、例えば底壁１１１ｅの中央部分であってもかまわない。ただし、締結具２１によって蓄電素子１００に加えられる応力の均一化を図る観点から、締結具２１は、例えば４つの角部のうち対角線に位置する２つの角部のように、蓄電素子１００に対して対象となる位置に設けられることが好ましい。
【００５５】
ここで、締結具２１によって互いに固定される、挟持部材４００の部位及び外装体１０の部位について説明する。
【００５６】
挟持部材４００は、締結具２１によって外装体１０に固定される部位である固定部４２２を有する。また、外装体１０は、締結具２１によって挟持部材４００が固定される部位である取付部１２ａを有する。具体的には、外装体１０（ここでは第二外装体１２）は、挟持部材４００に向かって凹んだ凹部である、締結具２１の取付部１２ａを有する。
【００５７】
本実施の形態では、固定部４２２は、締結具２１が挿入される貫通孔４２２ａが設けられ、取付部１２ａに対応する位置に配置されている。具体的には、固定部４２２は、取付部１２ａが凹まずに形成されると仮定した場合に比べて、取付部１２ａの深さ（凹部の深さ）分、外装体１０の内方の位置に配置されている。この固定部４２２は、挟持部材４００の他の部位の下方端部（Ｚ軸方向マイナス側の端部）より、内方に設けられている。
【００５８】
また、固定部４２２は、挟持部材４００の他の部位から外装体１０の外方に向かって突出している。具体的には、固定部４２２は、蓄電素子１００の並び方向（Ｘ軸方向）に沿って外装体１０の外方（Ｘ軸方向プラス側）に向かって突出している。このような構成により、固定部４２２は、締結具２１によって外装体１０に固定されることにより、当該並び方向における蓄電素子１００の移動を規制することができる。言い換えると、外装体１０は、蓄電ユニット２０を収容した状態で固定するとともに、蓄電素子１００に対して当該並び方向における拘束力を付与することができる。
【００５９】
この際、上述したように挟持部材４００によって蓄電ユニット２０内の複数の蓄電素子１００が圧迫されているため、当該複数の蓄電素子１００の配列状態（スタック構造）は維持される。よって、挟持部材４００の固定部４２２が外装体１０に固定されることにより、当該複数の蓄電素子１００の各々が外装体１０に対して固定されることとなる。
【００６０】
固定部４２２が固定される取付部１２ａは、挟持部材４００に向かって凹んだ凹部であり、底面に締結具２１が挿入される貫通孔が設けられている。つまり、取付部１２ａは、外装体１０の挟持部材４００との締結部分を構成する。
【００６１】
このような構成により、取付部１２ａの貫通孔、及び、固定部４２２の貫通孔４２２ａに締結具２１が挿入されて、これら取付部１２ａと固定部４２２とが締結されることにより、蓄電ユニット２０は外装体１０に収容された状態で固定される。なお、締結具２１は、ボルトに限らず、例えば、固定部４２２が雄ネジであれば、ナットであってもかまわない。
【００６２】
次に、接着体２２に関する事項について説明する。
【００６３】
接着体２２は、蓄電素子１００と外装体１０との間に設けられ、締結具２１と異なる位置で蓄電素子１００を外装体１０に対して固定する、例えばクッション性を有するアクリルフォームテープ等の両面テープである。本実施の形態では、接着体２２は外装体１０の底壁１１１ｅの中央部分に設けられ、蓄電素子１００を当該中央部分に対して固定する。具体的には、接着体２２は、蓄電素子１００と底壁１１１ｅとの間であって、締結具２１が設けられる部分と異なる位置に、例えば略矩形状に設けられている。
【００６４】
本実施の形態では、接着体２２は、蓄電ユニット２０内の複数の蓄電素子１００と底壁１１１ｅとの間に設けられている。つまり、接着体２２は、複数の蓄電素子１００にわたって共通に設けられており、具体的には、各蓄電素子１００の底面と対向する位置に設けられている。このように接着体２２が複数の蓄電素子１００に共通に設けられることにより、蓄電素子１００同士の位置ずれを低減することができる。つまり、接着体２２によって、複数の蓄電素子１００のスタック構造を維持することができる。
【００６５】
また、本実施の形態では、接着体２２は、蓄電素子１００を外装体１０に直接的に固定せずに間接的に固定する。具体的には、図５に示すように、接着体２２は、蓄電素子１００間に配置されるスペーサ３１０を外装体１０（第二外装体１２）に対して固定することにより、蓄電素子１００を固定する。
【００６６】
このような接着体２２は、例えば、蓄電ユニット２０を外装体１０に収容する前に、蓄電ユニット２０の底面もしくは側面、または、外装体１０の内面に貼り付けられる。このため、収容後に接着体２２を設ける場合に比べて、蓄電素子１００と外装体１０との間に容易に接着体２２を設けることができる。
【００６７】
特に、本実施の形態では、接着体２２が蓄電素子１００と外装体１０の底壁１１１ｅとの間に設けられるため、蓄電ユニット２０を外装体１０に収容する際に、貼り付けられた接着体２２が収容作業の妨げとなりにくい。よって、蓄電装置１の組み立て作業性の向上が図られる。
【００６８】
なお、接着体２２は、クッション性を有する両面テープに限らず、これ以外の両面テープであってもかまわない。さらには、接着体２２は、接着剤であってもかまわないし、マジックテープ（登録商標）またはベルクロテープ（登録商標）等と称される着脱自在に接着される面ファスナー構造であってもかまわない。
【００６９】
また、接着体２２の形状は略矩形状に限定されず、例えば、これ以外の多角形状または楕円形状であってもかまわない。また、接着体２２は、１枚の両面テープによって構成されていても、複数枚の両面テープによって構成されていてもかまわない。また、接着体２２は、上記のスタック構造を維持する観点から、複数の蓄電素子１００にわたって設けられていることが好ましいが、一部の蓄電素子１００または１つの蓄電素子１００のみにわたって設けられていてもかまわない。
【００７０】
以上のように、本実施の形態に係る蓄電装置１によれば、締結具２１及び接着体２２によって、蓄電素子１００が外装体１０に対して互いに異なる位置で固定されるため、外装体１０に対する蓄電素子１００の固定を維持することができる。
【００７１】
例えば、接着体２２が設けられていない場合、蓄電装置１の振動等が蓄電素子１００にかける負荷によって、蓄電素子１００を固定する締結具２１が緩む場合がある。この場合、締結具２１による蓄電素子１００の固定の維持が困難となる。これに対して、本実施の形態では、締結具２１と異なる位置で蓄電素子１００を固定する接着体２２が設けられていることにより、上記振動等が蓄電素子１００にかける負荷を低減することができる。このため、締結具２１が緩みにくくなるので、蓄電素子１００の固定を維持することができる。
【００７２】
また、本実施の形態に係る蓄電装置１によれば、締結具２１及び接着体２２は、蓄電素子１００を外装体１０の同一の壁（本実施の形態では底壁１１１ｅ）に対して固定する。つまり、接着体２２は、締結具２１によって蓄電素子１００が固定される外装体１０の壁と蓄電素子１００との間に設けられる。よって、接着体２２は、締結具２１によって蓄電素子１００が外装体１０に対して固定されることにより、当該壁と蓄電素子１００との間で密着する。具体的には、接着体２２は、締結具２１の固定によって、当該壁と蓄電素子１００とによって両側から圧迫されることで一層密着する。このため、接着体２２による蓄電素子１００の固定を一層強固にすることができる。
【００７３】
また、本実施の形態に係る蓄電装置１によれば、締結具２１は、エンドプレート（本実施の形態では挟持部材４００）を外装体１０に固定することで、蓄電素子１００を外装体１０に対して容易に固定することができる。また、蓄電ユニット２０を組み付けた状態で外装体１０に収容することができるため、蓄電装置１の組み立て工程の簡素化が図られる。
【００７４】
また、本実施の形態に係る蓄電装置１によれば、締結具２１の取付部１２ａが凹んでいることで、締結具２１が蓄電装置１の外方に突出しにくくなる。具体的には、図５に示すように、締結具２１の頭部２１ａ（外装体１０外方側の端部）が取付部１２ａの内方に配置される。このため、締結具２１の損傷等を抑制できるので、蓄電素子１００を外装体１０に対して強固に固定することができる。
【００７５】
特に、本実施の形態では、挟持部材４００の固定部４２２が、挟持部材４００の他の部位の下方端部（Ｚ軸方向マイナス側の端部）より内方に設けられている。このため、当該下方端部の端縁（Ｚ軸方向マイナス側の端縁）が外装体１０の内壁の比較的近くまで配置される。したがって、図５に示すように、複数の蓄電素子１００を当該内壁の比較的近くまで配置させることができる。つまり、このような構成により、外装体１０内の蓄電素子１００の配置スペースを大きく確保しつつ、外装体１０の外方への締結具２１の突出を抑制できる。
【００７６】
また、本実施の形態に係る蓄電装置１によれば、接着体２２は、スペーサ３１０を外装体１０に固定することで、蓄電素子１００を外装体１０に対して容易に固定することができる。
【００７７】
（変形例１）
次に、上記実施の形態の変形例１について、説明する。上記実施の形態では、接着体２２は、スペーサ３１０を外装体１０（上記実施の形態では第二外装体１２）に固定することにより、蓄電素子１００を外装体１０に固定するとした。しかし、本変形例では、接着体２２は、蓄電素子１００を外装体１０に直接固定する。
【００７８】
図６は、本発明の実施の形態の変形例１に係る蓄電ユニットが外装体１０（第二外装体１２）に固定された状態での構成を示す断面図である。具体的には、同図は、当該蓄電ユニットが外装体１０に固定された状態において、図４に示す斜視図におけるＶ−Ｖ線で切断した場合に相当する断面図の一部拡大図である。
【００７９】
同図に示すように、本変形例におけるスペーサ３００Ａは、実施の形態のスペーサ３１０に代わり平板状のスペーサ３１０Ａを有する。具体的には、実施の形態のスペーサ３１０の正面側または背面側の両面（Ｘ軸方向の両面）には凹部が形成されており、当該凹部にスペーサ３１０の正面側または背面側の蓄電素子１００の略半分が挿入されていた。これに対し、スペーサ３１０Ａは平板状に形成されているため、上記蓄電素子１００の底面がスペーサ３１０Ａに覆われずに外装体１０の内面に対向して配置されることとなる。
【００８０】
このような構成により、本変形例では、蓄電素子１００と外装体１０との間に設けられる接着体２２が蓄電素子１００に接着される。つまり、接着体２２は、蓄電素子１００を外装体１０に直接固定することとなる。
【００８１】
以上のように構成された本変形例に係る蓄電装置であっても、上記実施の形態と同様の効果を奏することができる。すなわち、締結具２１及び接着体２２によって、蓄電素子１００が外装体１０に対して互いに異なる位置で固定されるため、外装体１０に対する蓄電素子１００の固定を維持することができる。
【００８２】
（変形例２）
次に、上記実施の形態の変形例２について、説明する。上記実施の形態では、接着体２２は、締結具２１が蓄電素子１００を固定する外装体１０の壁と同一の壁（上記実施の形態では底壁１１１ｅ）に対して、当該蓄電素子１００を固定するとした。しかし、本変形例では、接着体は、上記同一の壁と異なる壁に対して、蓄電素子１００を固定する。
【００８３】
図７は、本発明の実施の形態の変形例２に係る蓄電ユニット２０と外装体１０（第二外装体１２）とが固定される様子を示す斜視図である。なお、同図では、図４と同様、スペーサ３２０を透過して蓄電ユニット２０の構成を示し、蓄電装置を構成する部材のうち第二外装体１２及び蓄電ユニット２０以外の部材については、図示を省略している。
【００８４】
同図に示すように、本変形例における接着体２２Ａは、締結具２１が蓄電素子１００を固定する外装体１０の壁（本変形例では底壁１１１ｅ）と異なる外装体１０の壁（本変形例では側壁１１１ｂ）と、蓄電素子１００との間に設けられている。
【００８５】
言い換えると、上記実施の形態では、蓄電素子１００は、締結具２１及び接着体２２によって、外装体１０の同一の壁の異なる位置に固定された。これに対し、本変形例では、蓄電素子１００は、締結具２１及び接着体２２Ａによって、外装体１０の互いに異なる壁（つまり異なる位置）に固定される。
【００８６】
以上のように構成された本変形例に係る蓄電装置であっても、上記実施の形態と同様の効果を奏することができる。すなわち、締結具２１及び接着体２２Ａによって、蓄電素子１００が外装体１０に対して互いに異なる位置で固定されるため、外装体１０に対する蓄電素子１００の固定を維持することができる。
【００８７】
（その他の変形例）
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態及びその変形例が備える各構成要素を任意に組み合わせて構築される形態も、本発明の範囲内に含まれる。
【００８８】
例えば、上記実施の形態及び変形例では、蓄電装置は一対の挟持部材４００を備えるとしたが、挟持部材４００の個数は特に限定されず、例えば１つであっても３以上であってもかまわない。挟持部材が１つの場合、当該挟持部材４００は、蓄電素子１００を挟んで対向する外装体１０の内壁とともに、蓄電素子１００を挟持してもかまわない。さらには、挟持部材４００は、蓄電素子１００を挟持しなくてもよく、蓄電素子１００の側方に配置されているエンドプレートであればよい。
【００８９】
また、上記実施の形態及び変形例では、４つの締結具２１が一対の挟持部材４００を外装体１０に固定するとしたが、当該締結具２１は一対の挟持部材４００のいずれか一方のみを外装体１０に固定してもかまわない。さらには、締結具２１は、上記エンドプレートを外装体１０に固定してもかまわないし、挟持部材４００またはエンドプレートと異なる部材（拘束部材５００等）を外装体１０に固定してもかまわない。
【００９０】
また、上記実施の形態及び変形例では、外装体１０はエンドプレートに向かって凹んだ凹部である取付部１２ａを有するとした。しかし、取付部１２ａは凹まずに形成されていてもよく、例えば、第二外装体１２の底壁１１１ｅの外面と面一に形成されていてもかまわない。また、上記実施の形態及び変形例では、当該凹部は第二外装体１２の底壁１１１ｅに設けられていたが、凹部の位置はこれに限定されず、例えば、第二外装体１２の側壁１１１ａ〜１１１ｄのいずれかに設けられていてもかまわないし、第一外装体１１に設けられていてもかまわない。
【００９１】
また、上記実施の形態及び変形例では、蓄電装置は複数の蓄電素子１００を有するとしたが、蓄電素子１００の個数は特に限定されず１以上であればよい。
【００９２】
また、上記実施の形態及び変形例では、外装体１０を箱状の容器としたが、外装体１０の形状はこれに限定されない。例えば、外装体は、箱状の容器を構成する複数の壁のうち一部の壁が設けられていない筒体形状であってもかまわない。また、例えば、外装体は、蓄電素子１００を挟んで対向する一対の壁と、当該一対の壁にわたって設けられた柱状部材または梁状部材とから構成されてもかまわない。さらには、例えば、外装体は、複数の蓄電素子１００が載置されて固定される板状のベースプレートであってもかまわない。
【産業上の利用可能性】
【００９３】
本発明は、蓄電素子と外装体とを備える蓄電装置等に適用できる。
【符号の説明】
【００９４】
１  蓄電装置
１０  外装体
１１  第一外装体
１２  第二外装体
１２ａ  取付部
１３  正極外部端子
１４  負極外部端子
２０  蓄電ユニット
２１  締結具
２１ａ  頭部
２２、２２Ａ  接着体
３０  保持部材
４１、４２  バスバー
５０  サーミスタ
１００  蓄電素子
１１０  容器
１１１ａ〜１１１ｄ  側壁
１１１ｅ  底壁
１２０  正極端子
１３０  負極端子
２００  バスバー
３００、３００Ａ、３１０、３１０Ａ、３２０  スペーサ
４００  挟持部材
４２２  固定部
４２２ａ  貫通孔
５００  拘束部材
６００  バスバーフレーム
７００  遮熱プレート
【図１】
0006753045.tif 000002
【図２】
0006753045.tif 000003
【図３】
0006753045.tif 000004
【図４】
0006753045.tif 000005
【図５】
0006753045.tif 000006
【図６】
0006753045.tif 000007
【図７】
0006753045.tif 000008